(57)【要約】【課題】段ボール等の厚紙を重ね合わせた状態で堅固にロックできるロック構造を備えた緩衝材を提供する。【解決手段】重なり合う支持板１，２に物品挿入口４を設け、各支持板１，２の外縁に脚板５，７を連設し、上面側となる支持板１に、物品挿入口４に臨むロック片９を設け、その基端部両側縁に段部１０を形成し、他の支持板２に切込部１１を設け、その内側に重合片１２を延出し、ロック片９と重合片１２とを、基端の位置が揃うように重ね合わせ、下方へ折り曲げて、ロック片９の段部１０を切込部１１の両側縁に係合させ、支持板１，２を重ね合わせた状態に保持すると共に、脚板５，７を重ね合わせて下方へ折り曲げ、ロック片９及び重合片１２と、これに対向する脚板５，７とで支持板１，２を浮き上がった状態に支持する。【選択図】図３
2007106494.tif 000002
【特許請求の範囲】
【請求項１】
重なり合う厚紙のうち、一方の厚紙にロック片９を、他方の厚紙に切込部１１を設け、厚紙を折り曲げて、ロック片９を切込部１１の側縁に係合させ、厚紙を重ね合わせた状態に保持する厚紙のロック構造において、他方の厚紙の切込部１１の内側に重合片１２を延出し、ロック片９と重合片１２とを重ね合わせ、厚紙の折り曲げに伴い、重合片１２の抜出跡に切込部１１が開いて、ロック片９が切込部１１に挿入されるようにしたことを特徴とする厚紙のロック構造。
【請求項２】
重なり合う支持板１，２に物品挿入口４を設け、各支持板１，２の外縁に脚板５，７を連設し、物品挿入口４に臨むように、上面側となる支持板１にロック片９を、他の支持板２に切込部１１をそれぞれ設けて、ロック片９と重合片１２とを下方へ折り曲げ、ロック片９を切込部１１に挿入する請求項１に記載のロック構造を採用し、支持板１，２を重ね合わせた状態に保持すると共に、脚板５，７を重ね合わせて下方へ折り曲げ、ロック片９及び重合片１２と、これに対向する脚板５，７とで支持板１，２を浮き上がった状態に支持する厚紙製緩衝材。
【請求項３】
隣接する側板２１，２２からそれぞれフラップ２４，２５を延出し、重なり合うフラップ２４，２５のうち、外面側となる一方のフラップ２４にロック片９を、他方のフラップ２５に切込部１１をそれぞれ設けて、ロック片９と重合片１２とを折り曲げ、ロック片９を切込部１１に挿入する請求項１に記載のロック構造を採用し、フラップ２４，２５を重ね合わせた状態に保持する厚紙製包装箱。
【請求項４】
仕切板を井桁状に組み合わせた仕切材３１と、この仕切材３１を支持する緩衝材３２とから成り、前記緩衝材３２には、重なり合う基板３９，４０のそれぞれに、谷折線４１と山折線４２とを互いに違いに対応するように入れ、谷折線４１からロック片９を、山折線４２から重合片１２をそれぞれコ字状の切込により突き出すように設け、基板３９，４０を谷折線４１及び山折線４２沿いに折り曲げて、ロック片９を切込部１１に挿入する請求項１に記載のロック構造を採用し、基板３９，４０の折り曲げに伴い緩衝材３２に形成した凹部４３と凸部４４と、仕切材３１に形成した凸部３５及び凹部３６とを互いに嵌合させたことを特徴とする物品の厚紙製保持材。
【発明の詳細な説明】
【技術分野】
【０００１】
この発明は、厚紙を重ね合わせた状態に保持するロック構造と、その構造を備えた緩衝材、包装箱及び保持材に関するものである。
【背景技術】
【０００２】
例えば、下記特許文献１には、段ボールシートを巻き込み、その端縁に設けた差込片を稜線のスリットに差し込んで、筒状緩衝壁を対向する二辺に有する主部材と、一辺に有する副部材とを構成し、これらの部材を組み合わせて、家電製品等の嵌合用凹部を形成した厚紙製緩衝材が記載されている。
【０００３】
また、下記特許文献２には、図１４に示すように、段ボール製の包装箱を折畳状態に保持するため、重なり合うフラップ５０，５１のうち、一方のフラップ５０に切り起こしによるロック片５２を設け、その基端部両側縁に段部５３を形成し、他方のフラップ５１に貫穴の切込部５４を設け、ロック片５２を切込部５４の方向へ折り曲げて、ロック片５２の段部５３を切込部５４の両側縁に係合させ、フラップ５０，５１を重ね合わせた状態でロックする構造が記載されている。
【０００４】
また、下記特許文献３には、液晶パネル等の薄型製品を保持するため、製品の収納ケースを、底壁及び対向する側壁を有する緩衝材の側壁間に多数並べて挿入し、収納ケースの両端の突片を緩衝材の側壁に形成したスリットに差し込み、収納ケースと中仕切とを噛合させ、収納ケースの上端の凹部に天押板を嵌め込んだ厚紙製保持材が記載されている。
【０００５】
【特許文献１】特開平１１−３２１９２９号公報
【特許文献２】特開２００３−１２８０４５号公報
【特許文献３】特開平９−３０９５２５号公報
【発明の開示】
【発明が解決しようとする課題】
【０００６】
しかしながら、上記特許文献１に記載の緩衝材や特許文献３に記載の保持材では、組み立てに際し、厚紙シートを複雑に折り曲げて、その状態に保持しなければならず、手間がかかるという問題がある。
【０００７】
また、上記特許文献２に記載の包装箱に備えられたロック構造では、ロック片５２が揺動しやすいので、その段部５３と他方のフラップ５１との係合状態が不安定となり、フラップ５０，５１が堅固にロックされないという問題がある。
【０００８】
そこで、この発明は、段ボール等の厚紙を重ね合わせた状態で堅固にロックできるロック構造と、その構造により簡単に組み立てられる緩衝材、包装箱及び保持材を提供しようとするものである。
【課題を解決するための手段】
【０００９】
上記課題を解決するため、この発明に係るロック構造は、重なり合う厚紙のうち、一方の厚紙にロック片を、他方の厚紙に切込部を設け、厚紙を折り曲げて、ロック片を切込部の側縁に係合させ、厚紙を重ね合わせた状態に保持する厚紙のロック構造において、他方の厚紙の切込部の内側に重合片を延出し、ロック片と重合片とを重ね合わせ、厚紙の折り曲げに伴い、重合片の抜出跡に切込部が開いて、ロック片が切込部に挿入されるようにしたのである。
【００１０】
また、この発明に係る緩衝材は、重なり合う支持板に物品挿入口を設け、各支持板の外縁に脚板を連設し、物品挿入口に臨むように、上面側となる支持板にロック片を、他の支持板に切込部をそれぞれ設けて、ロック片と重合片とを下方へ折り曲げ、ロック片を切込部に挿入するようにして上述のロック構造を採用し、支持板を重ね合わせた状態に保持すると共に、脚板を重ね合わせて下方へ折り曲げ、ロック片及び重合片と、これに対向する脚板とで支持板を浮き上がった状態に支持することとしたのである。
【００１１】
また、この発明に係る包装箱は、隣接する側板からそれぞれフラップを延出し、重なり合うフラップのうち、外面側となるフラップにロック片を、他のフラップに切込部をそれぞれ設けて、ロック片と重合片とを折り曲げ、ロック片を切込部に挿入するようにして上述のロック構造を採用し、フラップを重ね合わせた状態に保持することとしたのである。
【００１２】
また、この発明に係る保持材は、仕切板を井桁状に組み合わせた仕切材と、この仕切材を支持する緩衝材とから成り、前記緩衝材には、重なり合う基板のそれぞれに、谷折線と山折線とを互いに違いに対応するように入れ、谷折線からロック片を、山折線から重合片をそれぞれコ字状の切込により突き出すように設け、基板を谷折線及び山折線沿いに折り曲げて、ロック片を切込部に挿入するようにして上述のロック構造を採用し、基板の折り曲げに伴い緩衝材に形成した凹部と凸部と、仕切材に形成した凸部及び凹部とを互いに嵌合させたのである。
【発明の効果】
【００１３】
このロック構造では、ロック片の揺動が重合片により抑制されるので、ロック片を設けた厚紙と、切込部を設けた厚紙とが重合状態で堅固にロックされる。
【００１４】
このため、ロック片及び重合片と、これに対向する脚板とで支持板を支持する緩衝材においては、支持板が安定して支持される。
【００１５】
また、重なり合うフラップにロック片及び切込部をそれぞれ設けた包装箱においては、フラップ同士が堅固にロックされて、封緘状態が確実に維持される。
【００１６】
さらに、基板の折り曲げに伴い、ロック片を切込部に挿入させて係合させる緩衝材と仕切材とを組み合わせた保持材においては、緩衝材を折り曲げるだけで、簡単に基板を重ね合わせた状態に保持でき、仕切材と緩衝材とを嵌め合わせて、組み立てることができる。
【発明を実施するための最良の形態】
【００１７】
まず、第１実施形態として、この発明に係るロック構造を備えた照明器具梱包用の段ボール製緩衝材について、図１乃至図４に基づいて説明する。
【００１８】
図１に示すように、この緩衝材のブランクは、両側縁が弧状となった２枚の支持板１，２が繋部３を介して連設されたものであり、支持板１，２には円形状の物品挿入口４がそれぞれ設けられている。支持板１の両端には脚板５及び座板６が、支持板２の両端には脚板７及び座板８がそれぞれ順次連設されている。
【００１９】
支持板１には、物品挿入口４に臨むように、脚板５に対向する一対のロック片９が設けられ、その基端部両側縁には、切欠による段部１０が形成されている。支持板２には、物品挿入口４に臨むように、ロック片９の広幅部より間隔が狭い切込部１１が設けられ、その内側に重合片１２が延出されている。
【００２０】
脚板５には、座板６へ向けて係合片１３が、座板８には、脚板７との境界に係合穴１４がそれぞれ設けられ、支持板１，２には、コード引出用の切溝１５が、支持板１には巻込カバー１６がそれぞれ設けられている。また、座板６の斜めに切断された両端縁には、保護片１７が連設されている。
【００２１】
上記ブランクを組み立てるには、図２に示すように、支持板１，２を、繋部３を軸として重ね合わせるように折り曲げ、図３に示すように、ロック片９と重合片１２とを、基端の位置が揃うように重ね合わせ、下方へ折り曲げて、ロック片９の段部１０を切込部１１の両側縁に係合させ、支持板１，２を重ね合わせた状態に保持する。
【００２２】
また、脚板５，７を重ね合わせて下方へ折り曲げ、座板６，８を重ね合わせて外側へ折り曲げて、係合片１３を係合穴１４に係合させ、ロック片９及び重合片１２と、これに対向する脚板５，７とで支持板１，２を浮き上がった状態に支持する。
【００２３】
この状態においては、厚みのある段ボールが屈曲部で重なっていることから、ロック片９及び重合片１２が９０°以上折れ曲がらず、また、脚板５，７も９０°以上折れ曲がらないので、支持板１，２がぐらつくことなく固定される。
【００２４】
上記のような緩衝材を使用して、ペンダント型の照明器具を梱包する際には、図４に示すように、外箱Ｂに緩衝材をセットし、引掛シーリングを巻込カバー１６で巻き込み、支持板１，２の物品挿入口４に照明器具の本体Ｌを挿入し、セードＳを本体Ｌに被せて、その外周を上方へ折れ曲がった保護片１７に当接させると、照明器具が外箱Ｂの内部で所定の位置に確実に固定され、本体Ｌ及びセードＳが衝撃から保護される。
【００２５】
なお、この実施形態では、２枚の支持板が重なり合ったものを例示したが、３枚以上の支持板が重なり合う緩衝材においても、上面側となる支持板にロック片９を、他の支持板に重合片１２を設けることにより、同様の構成を採用することができる。
【００２６】
次に、第２実施形態として、この発明に係るロック構造を備えた包装箱について、図５及び図６に基づいて説明する。
【００２７】
図５に示すように、この包装箱のブランクは、長面及び短面の側板２１，２２を各一対交互に連設し、一方の側板２１の外側縁に継代片２３を設け、各側板２１の上下縁から外面側となるフラップ２４を、各側板２２の上下縁から内面側となるフラップ２５をそれぞれ延出したものとされている。
【００２８】
上方の各フラップ２４には、一対のロック片９が切目を入れて設けられ、その基端部両側縁には、切欠による段部１０が形成されている。また、上方の各フラップ２５には、ロック片９の広幅部より間隔が狭い切込部１１が切目を入れて設けられ、その内側に重合片１２が延出されている。
【００２９】
上記のようなブランクを組み立てて、物品を梱包するには、図６に示すように、各一対の側板２１，２２を角筒状に折り曲げて、継代片２３を反対側の側板２２の内面に貼り付け、下方のフラップ２５を内側へ折り曲げ、次いでフラップ２４を内側へ折り曲げて、糊貼り又は粘着テープにより底面を閉止する。
【００３０】
そして、箱内に物品を収納した後、上方のフラップ２５を内側へ折り曲げ、次いでフラップ２４を内側へ折り曲げて、ロック片９と重合片１２とを、基端の位置が揃うように重ね合わせ、押し込むように下方へ折り曲げて、ロック片９の段部１０を切込部１１の両側縁に係合させ、フラップ２４，２５が重ね合わせた状態に保持すると、フラップ２４，２５が堅固にロックされて、封緘状態が確実に維持される。
【００３１】
次に、第３実施形態として、この発明に係るロック構造を備えた液晶パネル等の薄型製品の保持材について、図７乃至図１３に基づいて説明する。
【００３２】
図７に示すように、この保持材は、段ボールシートを材料とする仕切材３１と緩衝材３２とから成り、仕切材３１は、長短二種類の仕切板３３，３４から構成される。仕切板３３の下辺には、凸部３５及び凹部３６が形成されると共に、凸部３５に３本のスリット３７が入れられ、仕切板３４の上辺には、６本のスリット３８が入れられている。
【００３３】
緩衝材３２のブランクでは、２枚の基板３９，４０が３箇所の繋部を介して連設され、基板３９，４０それぞれに、平行な谷折線４１と山折線４２とが互いに違いに対応するように段ボールの厚さ分ずらして入れられている。谷折線４１と山折線４２とは、２組ずつ対称となるように、各基板３９，４０に２対ずつ配置されている。
【００３４】
そして、谷折線４１からロック片９が、山折線４２から重合片１２がそれぞれコ字状の切込により５個ずつ対向して突き出すように設けられている。
【００３５】
この保持材を使用するには、図８に示すように、仕切材３１を組み立てるため、６枚の仕切板３３と、３枚の仕切板３４とを、スリット３７，３８の相互差込により井桁状に組み合わせる。
【００３６】
また、緩衝材３２のブランクを基板３９，４０の繋部で折り曲げて、基板３９，４０を重ね合わせ、二重となったブランクを、谷折線４１及び山折線４２沿いに相反する方向へ折り曲げ、凹部４３と凸部４４とを形成する。
【００３７】
この折り曲げに伴い、図９及び図１０に示すように、重なり合ったロック片９と重合片１２とが基板３９，４０から抜け出し、ロック片９が重合片１２の抜出跡に開いた切込部１１に挿入され、ロック片９の両側が切込部１１の両側縁に食い込むように接触し、これにより、基板３９，４０が重ね合わされた状態に保持される。
【００３８】
この状態で、図１１に示すように、仕切材３１の下方に緩衝材３２を敷き、仕切材３１の凸部３５及び凹部３６と、緩衝材３２の凹部４３及び凸部４４とを互いに嵌め合わせると、緩衝材３２の折曲部分の反発により、仕切材３１と緩衝材３２とが結合し、その分離が防止される。
【００３９】
そして、液晶パネルの梱包に際しては、図１２に示すように、緩衝材３２を敷いた仕切材３１と、その上に載せた仕切材３１の収納区画とに液晶パネルを挿入し、天面に緩衝材３２を被せ、図１３に示すように、上段の仕切材３１と緩衝材３２とを結合させる。ここで、上段の仕切材３１及び緩衝材３２は、下段のものと天地を逆転させて使用する。
【００４０】
上記のような保持材では、緩衝材３２を谷折線４１及び山折線４２に沿って折り曲げるだけで、簡単に基板３９，４０を重ね合わせた状態に保持でき、仕切材３１と緩衝材３２とを嵌め合わせて、組み立てることができるので、液晶パネル等の製品の梱包作業を効率よく行うことができる。
【図面の簡単な説明】
【００４１】
【図１】この発明の第１実施形態に係る緩衝材のブランクを示す図
【図２】同上の組立過程を示す斜視図
【図３】同上の組立状態を示す斜視図
【図４】同上の梱包状態を示す斜視図
【図５】この発明の第２実施形態に係る包装箱のブランクを示す図
【図６】同上の封緘状態を示す斜視図
【図７】この発明の第３実施形態に係る保持材のブランクを示す図
【図８】同上の仕切材と緩衝材の分離状態を示す斜視図
【図９】同上の緩衝材のロック部分を示す拡大斜視図
【図１０】同上のロック部分を示す拡大断面図
【図１１】同上の組立状態を示す斜視図
【図１２】同上の梱包過程を示す斜視図
【図１３】同上の梱包状態を示す斜視図
【図１４】従来のロック機構を備えた段ボール箱の折畳状態を示す斜視図
【符号の説明】
【００４２】
１，２  支持板
３  繋部
４  物品挿入口
５，７  脚板
６，８  座板
９  ロック片
１０  段部
１１  切込部
１２  重合片
１３  係合片
１４  係合穴
１５  切溝
１６  巻込カバー
１７  保護片
２１，２２  側板
２３  継代片
２４，２５  フラップ
３１  仕切材
３２  緩衝材
３３，３４  仕切板
３５  凸部
３６  凹部
３７，３８  スリット
３９，４０  基板
４１  谷折線
４２  山折線
４３  凹部
４４  凸部
【図１】
2007106494.tif 000003
【図２】
2007106494.tif 000004
【図３】
2007106494.tif 000005
【図４】
2007106494.tif 000006
【図５】
2007106494.tif 000007
【図６】
2007106494.tif 000008
【図７】
2007106494.tif 000009
【図８】
2007106494.tif 000010
【図９】
2007106494.tif 000011
【図１０】
2007106494.tif 000012
【図１１】
2007106494.tif 000013
【図１２】
2007106494.tif 000014
【図１３】
2007106494.tif 000015
【図１４】
2007106494.tif 000016